(57)【要約】【課題】特別時に図柄表示板を移動駆動することにより、新たな第２停止列を物理的に出現させることが可能な遊技機を提供する。【解決手段】図柄表示装置３５にあって、第１停止列Ｌ１としての変動図柄を表示する第１、第２、及び第３図柄表示板８１，８２，８３の背面側に、第２停止列Ｌ２としての変動図柄を表示する第４、第５、及び第６図柄表示板９１，９２，９３を配置する。また、第１、第２、及び第３図柄表示板８１，８２，８３を上下方向にスライド駆動可能な移動駆動手段を備えて構成する。抽選手段の抽選結果に基づく特別時に、駆動制御手段が移動駆動手段に指令し、第１、第２、及び第３図柄表示板８１，８２，８３が上方にスライド移動することで、第４、第５、及び第６図柄表示板９１，９２，９３が露出され、第２停止列Ｌ２が出現する。【選択図】図７
2007268009.tif 000002
【特許請求の範囲】
【請求項１】
遊技領域を形成する遊技盤と、該遊技盤上に配設された始動口と、該始動口に遊技球が入球したことに応じて当たり抽選を行う抽選手段と、該抽選手段の抽選結果に基づき変動する複数の変動図柄を表示する図柄表示装置と、を備え、前記図柄表示装置にて前記抽選手段の抽選結果を所定個数の変動図柄の停止列によって表示する遊技機において、
前記図柄表示装置は、
前記所定個数の変動図柄を表示し得る第１表示部と、
予備の変動図柄を表示し得る第２表示部と、
前記抽選手段の抽選結果に基づく通常時に前記予備の変動図柄が視認不能な状態となるように、かつ前記抽選手段の抽選結果に基づく特別時に前記予備の変動図柄が視認可能な状態となるように、前記第１表示部又は／及び第２表示部を移動駆動する移動駆動手段と、を有し、
前記通常時には、前記第１表示部における前記所定個数の変動図柄で第１の停止列を構成し、前記特別時には、少なくとも前記第２表示部の前記予備の変動図柄を含む第２の停止列を構成する、
ことを特徴とする遊技機。
【請求項２】
前記第２表示部は、前記所定個数の予備の表示図柄を表示してなり、
前記特別時に、前記所定個数の予備の表示図柄によって前記第２の停止列を構成する、
ことを特徴とする請求項１記載の遊技機。
【請求項３】
前記移動駆動手段は、前記特別時にあって、前記第１表示部における前記第１の停止列の停止状態が確定した後、前記第１表示部又は／及び第２表示部を移動駆動し、前記第２の停止列を構成する、
ことを特徴とする請求項１または２記載の遊技機。
【請求項４】
前記第２表示部は、前記通常時に前記第１表示部の背面側に配置され、
前記移動駆動手段は、前記特別時に、前記第１表示部又は／及び前記第２表示部をスライド駆動して、前記第２表示部の前記予備の変動図柄を視認可能にする、
ことを特徴とする請求項１ないし３のいずれか記載の遊技機。
【請求項５】
前記第２表示部は、前記通常時に前記予備の変動図柄を表示する表示面が視認不能な角度に配置され、
前記移動駆動手段は、前記特別時に、前記第２表示部を回動駆動して、前記第２表示部の前記予備の変動図柄を視認可能にする、
ことを特徴とする請求項１ないし３のいずれか記載の遊技機。
【発明の詳細な説明】
【技術分野】
【０００１】
本発明は、パチンコ機等の遊技機に係り、詳しくは、始動口に対する入球に応じた抽選手段の当たり抽選の結果を、所定個数の変動図柄の停止列によって表示する遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定個数の変動図柄（多くは３つの変動図柄）の変動・停止に関する演出表示が行われる。大当たりの発生時には、アタッカーと呼ばれる大入賞口が開放し、入球に対応して多量の遊技球が払い出される状態となる。
【０００４】
【特許文献１】特開平７−２８４５５９号公報
【発明の開示】
【発明が解決しようとする課題】
【０００５】
ところで、上述の液晶等の画像表示装置に複数の変動図柄を表示するものは、画像表示装置に表示する画像を自由に生成することが可能であるため、それら変動図柄の変動手法や停止手法として自由ではある。そのため、上記所定個数の変動図柄を、例えば外れの状態で停止した後、新たな変動図柄を出現させて変動・停止させるような表示を行うことが可能である。しかしながら、そのような新たな変動図柄の出現は、１つの画面内で行われている表示であるので、遊技者にとって迫力に欠けるものであり、遊技機としての趣向に欠く虞があった。
【０００６】
そこで本発明は、抽選手段の抽選結果に基づく特別時に予備の変動図柄が視認可能な状態となるように第１表示部又は／及び第２表示部を移動駆動することで、特別時には少なくとも第２表示部の予備の変動図柄を含む第２の停止列を構成することを可能とし、もって上述した課題を解決した遊技機を提供することを目的とするものである。
【課題を解決するための手段】
【０００７】
請求項１に係る本発明は（例えば図１乃至図１４参照）、遊技領域（３ａ）を形成する遊技盤（３）と、該遊技盤（３）上に配設された始動口（２７）と、該始動口（２７）に遊技球が入球したことに応じて当たり抽選を行う抽選手段（５７）と、該抽選手段（５７）の抽選結果に基づき変動する複数の変動図柄を表示する図柄表示装置（３５，１３５）と、を備え、前記図柄表示装置（３５，１３５）にて前記抽選手段（５７）の抽選結果を所定個数（例えば３個）の変動図柄の停止列によって表示する遊技機（１）において、
前記図柄表示装置（３５，１３５）は、
前記所定個数（例えば３個）の変動図柄を表示し得る第１表示部（８０，１８０）と、
予備の変動図柄を表示し得る第２表示部（９０，１９０）と、
前記抽選手段（５７）の抽選結果に基づく通常時に前記予備の変動図柄が視認不能な状態となるように、かつ前記抽選手段（５７）の抽選結果に基づく特別時に前記予備の変動図柄が視認可能な状態となるように、前記第１表示部（８０，１８０）又は／及び第２表示部（９０，１９０）を移動駆動する移動駆動手段（１４０，３４０）と、を有し、
前記通常時には、前記第１表示部（８０，１８０）における前記所定個数（例えば３個）の変動図柄で第１の停止列（Ｌ１）を構成し、前記特別時には、少なくとも前記第２表示部（９０，１９０）の前記予備の変動図柄を含む第２の停止列（Ｌ２）を構成する、
ことを特徴とする遊技機（１）にある。
【０００８】
請求項２に係る本発明は（例えば図６、図７、及び図１２参照）、前記第２表示部（９０，１９０）は、前記所定個数（例えば３個）の予備の表示図柄を表示してなり、
前記特別時に、前記所定個数の予備の表示図柄によって前記第２の停止列（Ｌ２）を構成する、
ことを特徴とする請求項１記載の遊技機（１）にある。
【０００９】
請求項３に係る本発明は（例えば図５乃至図１４参照）、前記移動駆動手段（１４０，３４０）は、前記特別時にあって、前記第１表示部（８０，１８０）における前記第１の停止列（Ｌ１）の停止状態が確定した後、前記第１表示部（８０，１８０）又は／及び第２表示部（９０，１９０）を移動駆動し、前記第２の停止列（Ｌ２）を構成する、
ことを特徴とする請求項１または２記載の遊技機（１）にある。
【００１０】
請求項４に係る本発明は（例えば図３及び図５乃至図９参照）、前記第２表示部（９０，１９０）は、前記通常時に前記第１表示部（８０，１８０）の背面側に配置され、
前記移動駆動手段（１４０）は、前記特別時に、前記第１表示部（８０，１８０）又は／及び前記第２表示部（９０，１９０）をスライド駆動して、前記第２表示部（９０，１９０）の前記予備の変動図柄を視認可能にする、
ことを特徴とする請求項１乃至３のいずれか記載の遊技機（１）にある。
【００１１】
請求項５に係る本発明は（例えば図１０乃至図１４参照）、前記第２表示部（９０，１９０）は、前記通常時に前記予備の変動図柄を表示する表示面が視認不能な角度に配置され、
前記移動駆動手段（３４０）は、前記特別時に、前記第２表示部（９０，１９０）を回動駆動して、前記第２表示部（９０，１９０）の前記予備の変動図柄を視認可能にする、
ことを特徴とする請求項１乃至３のいずれか記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、移動駆動手段が、通常時に予備の変動図柄が視認不能な状態に、かつ特別時に予備の変動図柄が視認可能な状態となるように、第１表示部又は／及び第２表示部を移動駆動することで、通常時には第１表示部において第１の停止列を構成し、特別時には第２表示部の予備の変動図柄を含む第２の停止列を構成するので、特に特別時に第２表示部の予備の変動図柄を物理的に出現させて新たな第２の停止列を構成することができ、新たな変動図柄の出現を遊技者に対して迫力のあるものにすることができて、遊技機としての趣向を増すことができる。
【００１４】
請求項２に係る本発明によると、第２表示部は所定個数の予備の表示図柄を表示してなり、特別時に所定個数の予備の表示図柄によって第２の停止列を構成するので、特別時には第１の停止列とは異なる全く新たな第２の停止列を構成することができる。
【００１５】
請求項３に係る本発明によると、特別時にあって、移動駆動手段が、第１表示部における第１の停止列の停止状態が確定した後、第１表示部又は／及び第２表示部を移動駆動することで、第２の停止列を構成するので、通常時にあっても、第１の停止列の停止状態が確定した後、第２の停止列が出現して構成されることの期待感を遊技者に与えることができる。
【００１６】
請求項４に係る本発明によると、第２表示部が通常時に第１表示部の背面側に配置されており、移動駆動手段が、特別時に、第１表示部又は／及び第２表示部をスライド駆動するので、第２表示部の予備の変動図柄を視認不能な状態から視認可能な状態に移行させることを可能にすることができる。
【００１７】
請求項５に係る本発明によると、第２表示部が通常時に予備の変動図柄を表示する表示面が視認不能な角度に配置されており、移動駆動手段が、特別時に第２表示部を回動駆動するので、第２表示部の予備の変動図柄を視認不能な状態から視認可能な状態に移行させることを可能にすることができる。
【発明を実施するための最良の形態】
【００１８】
＜第１の実施の形態＞
以下、本発明に係る遊技機の第１の実施の形態として、遊技場等に設置されるパチンコ機を図に沿って説明する。なお、本第１の実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。また、図１は本発明の第１の実施の形態におけるパチンコ機の外部構造を示す正面図、図２は本パチンコ機から遊技盤を単体で分離した状態で示す正面図である。
【００１９】
本パチンコ機（遊技機）１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入賞した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２０】
本パチンコ機１は図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれに配設されている。そして、前扉７の上部における両放音装置１２，１２の間には、演出用照明装置８が配設されている。なお、皿ユニット１６は、賞球及び貸球を含む遊技球が払い出される球受け皿を構成している。また、筐体６及び前扉７等により遊技機本体が構成されている。
【００２１】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技領域３ａ側に案内するガイドレールを示している。本パチンコ機１には、遊技中に遊技領域３ａにて入賞することなく落下して、遊技領域３ａ下部のアウト口７６に進入した遊技球をパチンコ機背面側に導くアウト球通路（図示せず）が設けられている。
【００２２】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２３】
また、前扉７における皿ユニット１６の右側下方の前壁部４８には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２４】
また、遊技領域３ａの中央部分には、遊技球ステージＳを有する前枠５０を備えたセンター飾り２３が配設されている。センター飾り２３の下部左右には、大当たり抽選に寄与しない一般の入賞が行われる一般入賞口２５，２６が配設されており、センター飾り２３の下方には、大当たり抽選実行の契機となり得る入賞が行われる始動チャッカー（始動口）２７と、大当たり発生時に開放して遊技領域３ａに打ち出される遊技球を入賞させるアタッカー５と、が順次配設されている。
【００２５】
始動チャッカー２７は、開放位置と閉止位置とに開閉動作するように始動チャッカー開閉ソレノイド７１（図３参照）によって作動させられる。始動チャッカー２７の直上方には、所謂命釘としての一対の障害釘３０が打ち込まれている。
【００２６】
アタッカー５は、大当たり発生中、例えば、１回の開放で１０個の入賞（入球）を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２７】
遊技領域３ａには、センター飾り２３の四方に風車３１がそれぞれ配設されており、遊技球ステージＳの下方における始動チャッカー２７の左右には、始動チャッカー２７を開閉動作させる抽選の契機となる遊技球通過が行われる役物であるスルーゲート３２がそれぞれ配設されている。
【００２８】
遊技領域３ａにおけるスルーゲート３２、一般入賞口２５，２６及び始動チャッカー２７等の周囲には、遊技球ステージＳから零れた遊技球や、発射されてから遊技球ステージＳに関与せずに落下してくる遊技球を適宜散らし、或いは入球（入賞）に導くようにするための障害釘３３を含む多数の障害釘が打ち込まれている。
【００２９】
センター飾り２３は、上部左右にワープ導入口３８，３８をそれぞれ有し、中央部に、遊技盤３側に固定された図柄表示装置３５を露出する開口３６に前枠５０を有し、かつ該前枠５０の左右にワープ導入口３７をそれぞれ有しており、更に、前枠５０の中央上部に鈴状役物７７を有している。
【００３０】
また、ワープ導入口３７，３７にそれぞれ対向するように、一対ずつの障害釘３９が打ち込まれている。このような本パチンコ機１では、遊技領域３ａに打ち出された遊技球を始動チャッカー２７等に、遊技球ステージＳを介して入球させ又は遊技球ステージＳを介さず直接入球させ得るように遊技が進められる。
【００３１】
なお、上記「ワープ導入」という語句は、遊技領域３ａに打ち出された遊技球を、当該遊技領域３ａの比較的下側に位置する不図示の道釘等を経ることなく、ステージＳ上を経由して始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３２】
次に、本第１の実施の形態におけるパチンコ機１の制御系を図３に沿って説明する。なお、同図は本パチンコ機の制御系を示すブロック図である。
【００３３】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置３５を備えている。該図柄表示装置３５は、詳しくは後述するように、第１表示部８０と第２表示部９０と移動駆動手段１４０と備えており、該第１表示部８０は、第１図柄表示部８１ａを有する第１図柄表示板８１、第２図柄表示部８２ａを有する第２図柄表示板８２、及び第３図柄表示部８３ａを有する第３図柄表示板８３で構成され、該第２表示部９０は、第４図柄表示部９１ａを有する第４図柄表示板９１、第５図柄表示部９２ａを有する第５図柄表示板９２、及び第６図柄表示部９３ａを有する第６図柄表示板９３で構成されている。また、移動駆動手段１４０は、詳しくは後述するように、第１駆動部１４１に備えられた第１アクチュエータＭ１、第２駆動部１４２に備えられた第２アクチュエータＭ２、第３駆動部１４３に備えられた第３アクチュエータＭ３をそれぞれ有して構成されている。
【００３４】
遊技制御装置５４は、不図示の主制御基盤やサブ制御基盤等から構成されている。主制御基盤は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基盤は、主に画像表示、効果音等の演出、効果光等の表示制御を行うように構成されている。
【００３５】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び駆動制御手段６６を備えている。
【００３６】
入賞判定手段５５は、発射ハンドル２の操作で作動する発射装置（図示せず）によって遊技領域３ａに打ち出された遊技球が始動チャッカー２７、一般入賞口２５，２６、アタッカー５、スルーゲート３２、ワープ導入口３７，３８の何れかに入賞（入球）したとき、当該入賞があった旨を判定する。
【００３７】
入賞信号出力手段５６は、入賞判定手段５５によって入賞（入球）が判定されたとき、対応する始動チャッカー２７、一般入賞口２５，２６、アタッカー５、スルーゲート３２、ワープ導入口３７，３８に入賞した旨の入賞信号を出力する。
【００３８】
抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちのいずれか一方に当選するように、不図示の抽選用メモリから当たり当選乱数値を取得して、大当たり抽選を実行する。
【００３９】
また、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が、詳しくは後述する図柄表示装置３５（図５参照）の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４０】
さらに、抽選手段５７はまた、大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４１】
遊技制御手段５９は、放音装置１２、及び演出用照明装置８，１１に放音、発光の演出をさせる契機となる指令や、第１アクチュエータＭ１、第２アクチュエータＭ２、及び第３アクチュエータＭ３に駆動演出をさせるために予め設定された演出データを演出制御手段６４に送る。また、遊技制御手段５９は、抽選手段５７での抽選結果に応じて、第１乃至第６図柄表示板８１，８２，８３，９１，９２，９３に表示すべき変動図柄に関する信号を、表示制御手段６５に送る。
【００４２】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４３】
また、保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００４４】
作動制御手段６１は、後述する作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００４５】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００４６】
作動決定手段６３は、作動判定手段６２からの判定信号を受けて、始動チャッカー開閉ソレノイド７０、アタッカー開閉ソレノイド７１の作動開始をそれぞれに決定する。
【００４７】
演出制御手段６４は、遊技制御手段５９からの指令に応答して、放音装置１２を放音駆動し、演出用照明装置８，１１を発光させ、遊技者の聴覚や視覚に訴える演出を行う。また、演出制御手段６４は、遊技制御手段５９からの演出データに基づいて、詳しくは後述する第１アクチュエータＭ１、第２アクチュエータＭ２、及び第３アクチュエータＭ３の駆動による演出を行う契機となる信号を、後述する駆動制御手段６６に送る。
【００４８】
表示制御手段６５は、遊技制御手段５９からの信号に従って、詳しくは後述する第１図柄表示板８１の第１図柄表示部８１ａ、第２図柄表示板８２の第２図柄表示部８２ａ、第３図柄表示板８３の第３図柄表示部８３ａ、第４図柄表示板９１の第４図柄表示部９１ａ、第５図柄表示板９２の第５図柄表示部９２ａ、及び第６図柄表示板９３の第６図柄表示部９３ａを制御し、大当たり抽選結果である変動図柄を、それぞれ表示する。
【００４９】
駆動制御手段６６は、演出制御手段６４からの信号（つまり抽選手段５７の抽選結果）に従って、該信号の内容によっては、第１アクチュエータＭ１、第２アクチュエータＭ２、及び第３アクチュエータＭ３を駆動することで第１図柄表示板８１、第２図柄表示板８２、及び第３図柄表示板８３の位置を移動させ、大当たり抽選結果を中心とした内容等の演出を、遊技者の視覚に訴えるように駆動演出する。なお、勿論であるが、信号によっては、第１図柄表示板８１、第２図柄表示板８２、及び第３図柄表示板８３の位置を移動させない場合もある。
【００５０】
始動チャッカー開閉ソレノイド７０は、作動制御手段６１から送信された駆動信号に応答してプランジャ（図示せず）を進退動作させて、始動チャッカー２７を開閉動作させる。
【００５１】
アタッカー開閉ソレノイド７１は、作動制御手段６１から送信された駆動信号に応答してプランジャ（図示せず）を進退動作させて、アタッカー５を開閉動作させる。
【００５２】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。
【００５３】
第１図柄表示板８１、第２図柄表示板８２、第３図柄表示板８３、第４図柄表示板９１、第５図柄表示板９２、及び第６図柄表示板９３は、表示制御手段６５の制御に従って作動し、抽選手段５７での抽選結果に応じた演出表示を行う。
【００５４】
第１アクチュエータＭ１、第２アクチュエータＭ２、及び第３アクチュエータＭ３は、上記駆動制御手段６６の制御に従って伸長・収縮駆動し、詳しくは後述する移動駆動手段１４０によって第１図柄表示板８１、第２図柄表示板８２、及び第３図柄表示板８３の位置を上下方向に移動させ、演出データや抽選手段５７での抽選結果に応じた駆動演出を行う。
【００５５】
次に、第１の実施の形態に係る本パチンコ機１による作用について、図４のフローチャートを併せて参照しつつ説明する。
【００５６】
本パチンコ機１に対面して着座した遊技者が、発射ハンドル２を握って適宜の角度に回動操作すると（ステップＳ１）、不図示の発射装置が作動して、遊技球を所定の時間間隔で遊技領域３ａに向けて連続的に発射させる。すると、遊技領域３ａに打ち出されて転動落下する多数の遊技球Ｂａは、始動チャッカー２７や一般入賞口２５，２６等に適時入賞し、或いは、これらに関与せずに転動落下して、遊技領域３ａ最下部のアウト口７６から遊技盤３背面側に排出される。
【００５７】
つまり、遊技領域３ａに向けて打ち出された多数の遊技球Ｂａは、その一部がワープ導入口３７や導入口３８から導入されて遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００５８】
ところで、上述したように始動チャッカー２７や一般入賞口２５，２６等の入賞口の何れかに入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００５９】
また、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００６０】
これにより、ステップＳ４において、第１図柄表示板８１、第２図柄表示板８２、第３図柄表示板８３、第４図柄表示板９１、第５図柄表示板９２、及び第６図柄表示板９３に表示されるべき当たり図柄がセットされ、抽選手段５７は、その旨の変動パターン信号を出力すると共に、当該変動パターン信号に基づく演出が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００６１】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、第１図柄表示板８１、第２図柄表示板８２、第３図柄表示板８３、第４図柄表示板９１、第５図柄表示板９２、及び第６図柄表示板９３に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００６２】
以上のようにして、遊技制御手段５９が、第１乃至第６図柄表示部８１ａ，８２ａ，８３ａ，９１ａ，９２ａ，９３ａに表示すべき変動図柄の内容に関する信号を、表示制御手段６５に送信することに基づき、表示制御手段６５は、第１乃至第６図柄表示部８１ａ，８２ａ，８３ａ，９１ａ，９２ａ，９３ａを適時制御し、大当たり抽選結果である変動図柄を表示することとなる。
【００６３】
また同時に遊技制御手段５９が、第１アクチュエータＭ１、第２アクチュエータＭ２、及び第３アクチュエータＭ３に駆動演出をさせるために予め設定された演出データを演出制御手段６４に送信することに基づき、演出制御手段６４は、駆動制御手段６６に信号を送り、この信号に従って駆動制御手段６６は第１アクチュエータＭ１、第２アクチュエータＭ２、及び第３アクチュエータＭ３を駆動することで第１図柄表示板８１、第２図柄表示板８２、及び第３図柄表示板８３の位置を上下方向に移動させ、大当たり抽選結果を中心とした内容等の演出を、遊技者の視覚に訴えるように駆動演出する。（ステップＳ５）。
【００６４】
そして、第１乃至第６図柄表示板８１，８２，８３，９１，９２，９３の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる（ステップＳ６）。
【００６５】
次に、本第１の実施の形態に係る図柄表示装置３５について説明する。なお、説明文中におけるＹ１−Ｙ２方向とは、本パチンコ機１に対面して着座した遊技者にとって上下方向であり、また左右方向とは遊技者にとっての左−右方向であり、さらに前後方向とは、遊技者にとって手前−奥方向である。また、図８及び図９に示す断面図は、主に第１図柄表示板８１及び第４図柄表示板９１の断面を示す部分であるが、第２図柄表示板８２及び第５図柄表示板９２の断面部分、第３図柄表示板８３及び第６図柄表示板９３の断面部分もこれと同様の構成であるので、これら図８及び図９を用いてその説明を行う。
【００６６】
図１及び図２に示すように、本実施の形態のパチンコ機１は、上述のようにセンター飾り２３の中央部に形成された開口３６より露出するように、図柄表示装置３５が備えられている。
【００６７】
図柄表示装置３５は、図３、及び図５乃至図９に示すように、大まかに第１図柄表示板８１、第２図柄表示板８２、及び第３図柄表示板８３により構成される第１表示部８０と、第４図柄表示板９１、第５図柄表示板９２、及び第６図柄表示板９３により構成される第２表示部９０と、該第１表示部８０の第１、第２、及び第３図柄表示板８１，８２，８３を上下方向であるＹ１−Ｙ２方向に駆動する第１、第２、及び第３駆動部１４１，１４２，１４３で構成される移動駆動手段１４０とによって構成されている。
【００６８】
上記第１表示部８０の第１図柄表示板８１は、図５乃至図７に示すように該第１図柄表示板８１の表面上に表示制御手段６５の制御に従って抽選手段５７での抽選結果に応じた変動図柄を表示する７セグメント型表示装置である第１図柄表示部８１ａを備えている。
【００６９】
上記第２表示部９０の第４図柄表示板９１は、図７乃至図９に示すように、該第４図柄表示板９１の表面上に表示制御手段６５の制御に従って抽選手段５７での抽選結果に応じた変動図柄を表示する７セグメント型表示装置である第４図柄表示部９１ａを備えている。また、第４図柄表示板９１は、図８及び図９に示すように、第４図柄表示板９１の背面部分において、遊技盤３に対して固定された支持部３０１に固着されていると共に、図８に示すように、詳しくは後述する通常状態にあっては、第１図柄表示板８１の背面側に配置され、つまり第１図柄表示板８１によって視認不能な状態となっている。
【００７０】
上記移動駆動手段１４０の第１駆動部１４１は、図８及び図９に示すように、第１アクチュエータＭ１、第１ガイド部材１１１、及び第１接続部８１ｃ等を有して構成されている。上記第１駆動部１４１の第１アクチュエータＭ１は、上下方向に伸長・収縮自在となるように配置された電動式のアクチュエータであり、シリンダチューブＭ１ａ及びシリンダロッドＭ１ｂにより構成されており、該シリンダロッドＭ１ｂの下部で、ジョイント部１３１等を介して第１図柄表示板８１に固着された第１接続部８１ｃと固着されている。また、該シリンダチューブＭ１ａは、その中央部分において詳しくは後述する支持部材３０３により遊技盤３に対して支持されている。また、第１アクチュエータＭ１は、上述した遊技制御装置５４とも電気的に接続されている。
【００７１】
第１ガイド部材１１１は、詳しくは後述する背面板１０１の後側の位置で上記第１図柄表示板８１の上方側に配置されており、ガイド孔１１１ａと固定部１１１ｂとを備えている。また、該ガイド孔１１１ａには、上記第１接続部８１ｃに一体に形成された円柱状の凸部８１ｃａが摺動自在に挿入され、第１ガイド部材１１１に対して凸部８１ｃａの可動域をＹ１−Ｙ２方向（即ち上下方向）に規制している。さらに、第１ガイド部材１１１は、固定部１１１ｂにおいて、ボルト１２１によって前枠５０に対して固定されている。
【００７２】
第１接続部８１ｃは、第１図柄表示板８１の上端部分と固着され、第１アクチュエータＭ１の下端部分でジョイント部１３１を介して固着されており、これにより第１接続部８１ｃは、第１図柄表示板８１と第１アクチュエータＭ１のシリンダロッドＭ１ｂとを一体的に接続している。また、第１接続部８１ｃは、一体に形成された凸部８１ｃａが上記ガイド孔１１１ａに摺動自在に挿入されていることにより可動域がＹ１−Ｙ２方向に規制されている。
【００７３】
また、第１図柄表示板８１の上端部分には、上記第１ガイド部材１１１の前方側にあって、背面板１０１が固着されて配設されており、上述した第１ガイド部材１１１、第１アクチュエータＭ１、及びこのほかのパチンコ機１の内部が遊技者から見えてしまうことを防いでいる。
【００７４】
以上のように、第１図柄表示板８１及び第４図柄表示板９１と第１図柄表示板８１の駆動機構（第１駆動部１４１）とについて、この部分の断面図（即ち図８及び図９）を用いて説明したが、第２図柄表示板８２及び第５図柄表示板９２部分と第３図柄表示板８３及び第６図柄表示板９３部分との構成は上記第１図柄表示板８１及び第４図柄表示板９１部分の構成と略々同じとなり、断面図も同様となるため、括弧内に対応する符号を付して、その説明を省略する。
【００７５】
なお、支持部材３０３は、図８及び図９に示すように、上記前枠５０の上方側に位置し、第１、第２、及び第３アクチュエータＭ１，Ｍ２，Ｍ３を共に一つの部材で遊技盤３に対して位置決めしている部材であり、一部図示を省略しているが、固定部３０３ａ，３０３ａにおいてボルト３０５，３０５，…によって遊技盤３に対して固着されている。
【００７６】
以上のような構成により、第１図柄表示板８１は、第１アクチュエータＭ１の駆動によりＹ１−Ｙ２方向に移動自在となっている。これにより、第１図柄表示板８１は、図８に示すように、後述する通常時の状態から、第１図柄表示板８１がＹ１方向（即ち上方向）へ移動することにより、図９に示すように、第４図柄表示板９１に表示される変動図柄を遊技者に対して予備の変動図柄として露出（出現）させることが可能となり、つまり第４図柄表示部９１ａの変動図柄が視認可能な状態とされる。また同様に、第２図柄表示板８２及び第３図柄表示板８３のそれぞれがＹ１方向へ移動することにより、第５図柄表示板９２及び第６図柄表示板９３に表示される変動図柄を遊技者に対して予備の変動図柄として露出（出現）させることが可能となっており、つまり第５、及び第６図柄表示部９２ａ，９３ａの変動図柄が視認可能な状態とされる。
【００７７】
次に、図柄表示装置３５による演出パターンの例を図５乃至図７に沿って説明する。なお、本第１の実施の形態においては、左側に位置する第１図柄表示板８１及び第４図柄表示板９１を「左」、真ん中に位置する第２図柄表示板８２及び第５図柄表示板９２を「中」、右側に位置する第３図柄表示板８３及び第６図柄表示板９３を「右」として説明する。また、以下の説明においては、各図柄表示板の上下方向の位置を「上」「下」で表現するものとする。
【００７８】
第１、第２、及び第３図柄表示板８１，８２，８３は、駆動制御手段６６の制御に従って、信号がある場合には第１アクチュエータＭ１、第２アクチュエータＭ２、第３アクチュエータＭ３のそれぞれにより移動駆動される。また、第１乃至第６図柄表示部８１ａ，８２ａ，８３ａ，９１ａ，９２ａ，９３ａは、表示制御手段６５の制御に従って、抽選手段５７での抽選結果に応じた変動図柄を表示する。
【００７９】
例えば通常状態の制御では、図５に示すように、第１図柄表示板８１、第２図柄表示板８２、及び第３図柄表示板８３が共に上下方向において「下」に位置し（後述の移動した状態からの場合はこの位置に戻るように移動駆動され）、それぞれ第１の停止列Ｌ１を構成する第１、第２、及び第３図柄表示部８１ａ，８２ａ，８３ａにおける変動図柄が「左」「中」「右」の順に停止される。
【００８０】
つづいて、第１の移動パターン（上記通常状態である通常時に対して特別状態である特別時）について説明する。この第１の移動パターンにおいては、図５に示すように、例えば抽選手段５７の抽選結果が遊技者にとって上記通常状態よりも１段階期待度が高い抽選結果である場合として、その抽選結果の信号に従って、表示制御手段６５により第１の停止列Ｌ１である第１、第２、及び第３図柄表示部８１ａ，８２ａ，８３ａにおける各変動図柄を、まず、「左」である第１図柄表示部８１ａ及び「右」である第３図柄表示部８３ａを「左」「右」の順に停止し、つまり、「左」と「右」に同じ変動図柄が表示され、所謂リーチ状態となる。
【００８１】
その後、第２図柄表示部８２ａにおける変動図柄を、上記第１及び第３図柄表示部８１ａ，８３ａに停止させた変動図柄とは異なる図柄で「中」に停止し、つまり、第１の停止列Ｌ１に外れ状態を表示する。その後、駆動制御手段６６が第２アクチュエータＭ２に駆動を指令して、図６に示すように、第２図柄表示板８２を「下」から「上」に移動することで、第１及び第３図柄表示部８１ａ，８３ａと第４図柄表示部９２ａとで第２の停止列Ｌ２を構成すると共に、第５図柄表示部９２ａの変動図柄を変動させた状態にする。
【００８２】
そして、例えば抽選手段５７の抽選結果で大当たりが当選していた場合は、表示制御手段６５は、第５図柄表示部９２ａに（即ち左右方向の「中」、上下方向の「下」に）、第１及び第３図柄表示部８１ａ，８３ａに表示された変動図柄と同じ図柄を表示し、つまり、第１図柄表示部８１ａ、第５図柄表示部９２ａ、及び第３図柄表示部８３ａによって形成された第２の停止列Ｌ２に同じ変動図柄が表示され、大当たり遊技が開始される。この大当たり遊技の終了後は、駆動制御手段６６が例えば上記通常状態に復帰するように、再び第２アクチュエータＭ２に駆動指令し、第２図柄表示板８２が「下」の位置に移動される。また、例えば抽選手段５７の抽選結果が外れであれば、第５図柄表示部９２ａに異なる図柄を表示して上記通常状態に復帰される。
【００８３】
この場合は、第２図柄表示部８２ａの移動が行われ、第５図柄表示部９２ａが出現し、第１図柄表示部８１ａ、第５図柄表示部９２ａ、及び第３図柄表示部８３ａによって第２の停止列Ｌ２を形成するので、この第１の移動パターンにおける大当たり確率を例えば通常状態よりも１段階高くすることで、遊技者に例えば通常状態よりも１段階高い大当たりの期待感を与えることができる。
【００８４】
なお、例えば変動図柄を一旦停止させた後、例えば後述の第２の移動パターンとなるように第１図柄表示板８１及び第３図柄表示板８３の移動駆動を行って、所謂スーパーリーチに発展させるような制御を行っても構わない。また、例えば大当たりが当選していた場合には、大当たり遊技を行い、この大当たり遊技の終了後は、同様に例えば上記通常状態に復帰するように移動駆動される。
【００８５】
なお、本実施の形態においては、第１の移動パターンとして、第２図柄表示板８２を駆動する場合を説明したが、勿論、第１図柄表示板８１又は第３図柄表示板８３を駆動するものであってもよく、この場合は、第４図柄表示板９１又は第６図柄表示板９３を用いて第２の停止列Ｌ２を構成することになる。
【００８６】
次に、第２の移動パターン（上記通常状態である通常時に対して特別状態である特別時）について説明する。この第２の移動パターンにおいては、図５に示すように、例えば抽選手段５７の抽選結果が遊技者にとって上記通常状態よりも２段階期待度が高い抽選結果である場合として、その抽選結果の信号に従って、表示制御手段６５により第１の停止列Ｌ１である第１、第２、及び第３図柄表示部８１ａ，８２ａ，８３ａにおける各変動図柄をまず、「左」「右」「中」の順に停止する、つまり例えば３つの数字が揃わない、外れの状態で停止する。
【００８７】
その後、駆動制御手段６６が第１、第２、及び第３アクチュエータＭ１，Ｍ２，Ｍ３に駆動を指令して、図７に示すように、第１、第２、及び第３図柄表示板８１，８２，８３を「下」から「上」に移動することで、第４、第５、及び第６図柄表示部９１ａ，９２ａ，９３ａとで第２の停止列Ｌ２を構成すると共に、該第２の停止列Ｌ２を形成する第４、第５、及び第６図柄表示部９１ａ，９２ａ，９３ａの変動図柄を変動させた状態にする。その後、表示制御手段６５により第２の停止列Ｌ２である第４、第５、及び第６図柄表示部９１ａ，９２ａ，９３ａにおける各変動図柄を、「左」である第４図柄表示部９１ａ及び「右」である第６図柄表示部９３ａを「左」「右」の順に停止する、つまり、「左」と「右」に同じ変動図柄が表示され、第２の停止列Ｌ２において所謂リーチ状態となる。
【００８８】
そして、例えば抽選手段５７の抽選結果で大当たりが当選していた場合は、表示制御手段６５は、第５図柄表示部９２ａに（即ち左右方向の「中」、上下方向の「下」に）、第４及び第６図柄表示部９１ａ，９３ａに表示された変動図柄と同じ図柄を表示し、つまり、第４図柄表示部９１ａ、第５図柄表示部９２ａ、及び第６図柄表示部９３ａによって形成された第２の停止列Ｌ２に同じ変動図柄が表示され、大当たり遊技が開始される。この大当たり遊技の終了後は、駆動制御手段６６が例えば上記通常状態に復帰するように、再び第１、第２、及び第３アクチュエータＭ１，Ｍ２，Ｍ３に駆動指令し、第１、第２、及び第３図柄表示板８１，８２，８３が「下」の位置に移動される。また、例えば抽選手段５７の抽選結果が外れであれば、第５図柄表示部９２ａに異なる図柄を表示して上記通常状態に復帰される。
【００８９】
この場合は、第１、第２、及び第３図柄表示部８１ａ，８２ａ，８３ａの移動が行われ、第４、第５、及び第６図柄表示部９１ａ，９２ａ，９３ａが出現し、この第４、第５、及び第６図柄表示部９１ａ，９２ａ，９３ａによって第２の停止列Ｌ２を形成するので、この第２の移動パターンにおける大当たり確率を例えば通常状態よりも２段階高くすることで、遊技者に例えば通常状態よりも２段階高い大当たりの期待感を与えることができる。
【００９０】
以上のように、本第１の実施の形態に係るパチンコ機１によると、移動駆動手段１４０が、通常時に予備の変動図柄が視認不能な状態に、かつ特別時に予備の変動図柄が視認可能な状態となるように、第１表示部８０を移動駆動することで、通常時には第１表示部８０において第１の停止列Ｌ１を構成し、特別時には第２表示部９０の予備の変動図柄を含む第２の停止列Ｌ２を構成するので、特に特別時に第２表示部９０の予備の変動図柄を物理的に出現させて新たな第２の停止列Ｌ２を構成することができ、新たな変動図柄の出現を遊技者に対して迫力のあるものにすることができて、パチンコ機としての趣向を増すことができる。
【００９１】
また、例えば第２の移動パターンのように、第２表示部９０は３個の予備の表示図柄を表示してなり、特別時に３個の予備の表示図柄によって第２の停止列Ｌ２を構成するので、特別時には第１の停止列Ｌ１とは異なる全く新たな第２の停止列Ｌ２を構成することができる。
【００９２】
また、特別時にあって、移動駆動手段１４０が、第１表示部８０における第１の停止列Ｌ１の停止状態が確定した後、第１表示部８０を移動駆動することで、第２の停止列Ｌ２を構成するので、通常時にあっても、第１の停止列Ｌ１の停止状態が確定した後、第２の停止列Ｌ２が出現して構成されることの期待感を遊技者に与えることができる。
【００９３】
また、第２表示部９０が通常時に第１表示部８０の背面側に配置されており、移動駆動手段１４０が、特別時に、第１表示部８０をスライド駆動するので、第２表示部９０の予備の変動図柄を視認不能な状態から視認可能な状態に移行させることを可能にすることができる。
【００９４】
なお、本第１の実施の形態においては、第１表示部８０の第１乃至第３図柄表示板８１，８２，８３をスライド駆動して第２表示部の第４乃至第６図柄表示板９１，９２，９３を出現させるものについて説明したが、反対に第２表示部の第４乃至第６図柄表示板９１，９２，９３を第１表示部８０の第１乃至第３図柄表示板８１，８２，８３の裏側からスライド駆動して出現させるように構成してもよく、更に、第１表示部８０の第１乃至第３図柄表示板８１，８２，８３と第２表示部の第４乃至第６図柄表示板９１，９２，９３とを互い違いにスライド駆動することで第２表示部の第４乃至第６図柄表示板９１，９２，９３を出現させるように構成してもよい。
【００９５】
また、本第１の実施の形態における図柄表示装置３５の演出は、上述した第１及び第２の移動パターンのような演出以外にも、例えば第１、第２、及び第３図柄表示板８１，８２，８３の位置を「上」に移動する際に第４、第５、及び第６図柄表示部９１ａ，９２ａ，９３ａの変動図柄を予め停止させておく等、移動パターンや演出はどのように設定することも可能である。
【００９６】
＜第２の実施の形態＞
次に、本発明の第２の実施の形態を図４、及び図１０乃至図１４に沿って説明する。なお、本第２の実施の形態においては、一部の変更を除き、第１の実施の形態と同様な部分に、同符号を付して、その説明を省略する。
【００９７】
本第２の実施の形態における制御系は、図１０に示すように、第１の実施の形態における第１、第２、及び第３アクチュエータＭ１，Ｍ２，Ｍ３の代わりに、第１、第２、及び第３モータＭ１１，Ｍ１２，Ｍ１３を備えており、それら第１、第２、及び第３モータＭ１１，Ｍ１２，Ｍ１３が遊技制御装置５４に接続されている。
【００９８】
図柄表示装置１３５は、図１０乃至図１４に示すように、大まかに第１図柄表示板１８１、第２図柄表示板１８２、及び第３図柄表示板１８３により構成される第１表示部１８０と、第４図柄表示板１９１、第５図柄表示板１９２、及び第６図柄表示板１９３により構成される第２表示部１９０と、該第２表示部１９０の第４、第５、及び第６図柄表示板１９１，１９２，１９３を回動駆動させる第１、第２、及び第３駆動部３４１，３４２，３４３で構成される移動駆動手段３４０とによって構成されている。
【００９９】
上記第１表示部１８０の第１、第２、及び第３図柄表示板１８１，１８２，１８３は、図１１及び図１２に示すように、それら第１、第２、及び第３図柄表示板１８１，１８２，１８３の表面上に表示制御手段６５の制御に従って抽選手段５７での抽選結果に応じた変動図柄を表示する７セグメント型表示装置である第１、第２、及び第３図柄表示部１８１ａ，１８２ａ，１８３ａをそれぞれ備えている。また、上記第２表示部１９０の第４、第５、及び第６図柄表示板１９１，１９２，１９３は、図１２に示すように、該第４、第５、及び第６図柄表示板１９１，１９２，１９３の表面上に表示制御手段６５の制御に従って抽選手段５７での抽選結果に応じた変動図柄を表示する７セグメント型表示装置である第４、第５、及び第６図柄表示部１９１ａ，１９２ａ，１９３ａを備えている。
【０１００】
本第２の実施の形態における第１乃至第６図柄表示板１８１，１８２，１８３，１９１，１９２，１９３は、上述の第１の実施の形態の各図柄表示板に比して、幅方向が狭く形成されており、図１２に示すように、前枠５０の開口３６と第１及び第４図柄表示板１８１，１９１との間に遊技球の直径よりも広い間隔Ｄ１が、第１及び第４図柄表示板１８１，１９１と第２及び第５図柄表示板１８２，１９２との間に遊技球の直径よりも広い間隔Ｄ２が、第２及び第５図柄表示板１８２，１９２と第３及び第６図柄表示板１８３，１９３との間に遊技球の直径よりも広い間隔Ｄ３が、第３及び第６図柄表示板１８３，１９３と前枠５０の開口３６との間に遊技球の直径よりも広い間隔Ｄ４が、それぞれ形成されている。
【０１０１】
上記第１図柄表示板１８１は、図１３及び図１４に示すように、背面部分において台座部２２１と固着されており、この台座部２２１が遊技盤３に固定支持された背面板３１０と固着され、つまり第１図柄表示板１８１は、これら背面板３１０と台座部２２１とにより遊技盤３に対して固定されている。また、該背面板３１０は、前枠５０の後端部分に配設されており、開口３６より露出した部分からパチンコ機１の内部が遊技者に見えることを防いでいる。
【０１０２】
上記第２表示部１９０の第４図柄表示板１９１は、図１３に示すように、詳しくは後述する通常状態において、前枠５０に形成された収納穴５１ａに収納されて、第４図柄表示部１９１ａとは反対側の背面部１９１ｂが前枠５０の開口３６における内周下方側のステージ面５０ａとで平面をなすように配置されており、つまり端面５０ａと背面部１８１ｂとでステージＳを構成している。
【０１０３】
また、第４図柄表示板１９１には、接合面１９１ｃを介して第１駆動部３４１の一部を構成する第１支軸部１９１ｄが接合されている。該第１支軸部１９１ｄは、該第４図柄表示板１９１と左右方向に同じ長さ（幅）に形成されており、端部が、半円筒形状に形成されている。また、第１支軸部１９１ｄには一体に構成されたギヤ２０１を、正面視で第４図柄表示板１９１と第５図柄表示板１９２の間となる部分に備えている。さらに、第１支軸部１９１ｄには、該ギヤ２０１の中心部分を貫通する支軸（図示せず）が供えられており、該支軸が前枠５０に対して回動自在に嵌合している。
【０１０４】
上記第１駆動部３４１の第１モータＭ１１は、回転軸が上記第４図柄表示板１９１のギヤ２０１と略々平行となるように配置された電動式のモータであり、回転軸の先端部にギヤＭ１１ａを備えている。該第１モータＭ１１は、上述した背面板３１０の背面側で、背面板３１０に固定された支持部３１１の上面において台座部２４１に固定されて支持されており、つまり、第１モータＭ１１は、遊技盤３に対して支持されている。また、第１モータＭ１１は、上述したように遊技制御装置５４に電気的に接続されている。
【０１０５】
上記第１支軸部２３１のギヤ２０１及び第１モータＭ１１のギヤＭ１１ａには、背面板３１０に形成された孔部３１０ａ及び前枠５０に形成された孔部５０ｃ１を貫通する形で第１ベルト２１１が巻き掛けられており、第１モータＭ１１の回転駆動を第１支軸部１９１ｄへ伝達可能に構成されている。
【０１０６】
これにより、第４図柄表示板１９１は、図１４に示すように、後述する特別時において、第１モータＭ１１の回転駆動により第４図柄表示部１９１ａを正面に向けた状態に回動移動される。この特別時の状態では、ステージＳに、孔部５１ａが形成されることとなり、ステージＳ上に導かれた遊技球の一部は、該孔部５１ａを通過して落下し、該孔部５１ａの下方部分に一体に形成された溝部５１を通過して遊技領域３ａに戻されるように構成されている。また、この孔部５１ａと溝部５１とを備えていることによって、この特別時から通常状態に戻る際に（図１４の状態から図１３の状態に戻る際に）、遊技球が挟まって所謂玉詰まりを起こすことが防止されている。
【０１０７】
また、特別時にあっては、図１４に示すように、第４図柄表示板１９１の上方端部が上記第１図柄表示板１８１の下方端部に当接すると共に、第４図柄表示板１９１と背面板３１０との間に空間ＳＰ１が形成される。この空間ＳＰ１は、前後方向に対して遊技球が通過し得る奥行きを有するように形成されており、第４図柄表示板１９１と背面板３１０との間に遊技球が挟まれて玉詰まりすることを防いでいる。また、この空間ＳＰ１に入り込んだ遊技球は、図１２に示すように、上述した間隔Ｄ１，Ｄ２によって第４図柄表示板１９１の前面側に導かれるように構成されており、第４図柄表示板１９１の前面側に導かれた遊技球は、前枠５０のステージ面５０ａ、或いは上記孔部５１ａ及び溝部５１を通過して遊技領域３ａに戻されるように構成されている。
【０１０８】
以上のように、第１図柄表示板１８１及び第４図柄表示板１９１と第１図柄表示板１８１の駆動機構（第１駆動部３４１）とについて、この部分の断面図（即ち図１３及び図１４）を用いて説明したが、第２図柄表示板１８２及び第５図柄表示板１９２部分と第３図柄表示板１８３及び第６図柄表示板１９３部分との構成は上記第１図柄表示板１８１及び第４図柄表示板１９１部分の構成と略々同じとなり、断面図も同様となるため、括弧内に対応する符号を付して、その説明を省略する。
【０１０９】
以上説明した構成により、第４図柄表示板１９１は、第１モータＭ１１の駆動により回動させられることで、第４図柄表示部１９１ａを遊技者に対して予備の変動図柄として露出（出現）させることが可能となり、つまり第４図柄表示部１９１ａの変動図柄が視認可能な状態とされる。また同様に、第５図柄表示板１９２及び第６図柄表示板１９３についても第２モータＭ１２及び第３モータＭ１３のそれぞれの駆動により回動させられることで、第５図柄表示部１９２ａ及び第６図柄表示部１９３ａを遊技者に対して露出（出現）させることが可能となっており、つまり第５、及び第６図柄表示部１９２ａ，１９３ａの変動図柄が視認可能な状態とされる。
【０１１０】
次に、本第２の実施の形態に係る、図柄表示装置１３５による演出パターンの例を図１１及び図１２に沿って説明する。なお、本第２の実施の形態においては、左側に位置する第１図柄表示板１８１及び第４図柄表示板１９１を「左」、真ん中に位置する第２図柄表示板１８２及び第５図柄表示板１９２を「中」、右側に位置する第３図柄表示板１８３及び第６図柄表示板１９３を「右」として説明する。また、以下の説明においては、各図柄表示板の上下方向の位置を「上」「下」で表現するものとする。
【０１１１】
第４、第５、及び第６図柄表示板１９１，１９２，１９３は、駆動制御手段６６の制御に従って、信号がある場合には第１モータＭ１１、第２モータＭ１２、第３モータＭ１３のそれぞれにより回転駆動される。また、第１乃至第６図柄表示部１８１ａ，１８２ａ，１８３ａ，１９１ａ，１９２ａ，１９３ａは、表示制御手段６５の制御に従って、抽選手段５７での抽選結果に応じた変動図柄を表示する。例えば通常状態の制御では、図１１に示すように、第４図柄表示板１９１、第５図柄表示板１９２、及び第６図柄表示板１９３が共に前枠５０の下方部分に格納され（後述の回動移動した状態からの場合はこの位置に戻るように移動駆動され）、それぞれ第１の停止列Ｌ１を構成する第１、第２、及び第３図柄表示部８１ａ，８２ａ，８３ａにおける変動図柄が「左」「中」「右」の順に停止される。
【０１１２】
つづいて、移動パターン（上記通常状態である通常時に対して特別状態である特別時）について説明する。この移動パターンにおいては、図１２に示すように、例えば抽選手段５７の抽選結果が遊技者にとって上記通常状態よりも１段階期待度が高い抽選結果である場合として、その抽選結果の信号に従って、表示制御手段６５により第１の停止列Ｌ１である第１、第２、及び第３図柄表示部１８１ａ，１８２ａ，１８３ａにおける各変動図柄をまず、「左」である第１図柄表示部１８１ａ及び「右」である第３図柄表示部１８３ａを「左」「右」の順に停止する、つまり、「左」と「右」に同じ変動図柄が表示され、所謂リーチ状態となる。
【０１１３】
その後、第２図柄表示部１８２ａにおける変動図柄を、上記第１及び第３図柄表示部８１ａ，８３ａに停止させた変動図柄とは異なる図柄で「中」に停止する、つまり、第１の停止列Ｌ１に外れ状態を表示する。その後、駆動制御手段６６が第１、第２、及び第３モータＭ１１，Ｍ１２，Ｍ１３に駆動を指令して、第４、第５、及び第６図柄表示板１９１，１９２，１９３を回動移動すると共に、第４、第５、及び第６図柄表示部１９１ａ，１９２ａ，１９３ａの変動図柄を変動させた状態にする。
【０１１４】
その後、表示制御手段６５により第２の停止列Ｌ２である第４、第５、及び第６図柄表示部１９１ａ，１９２ａ，１９３ａにおける各変動図柄を、「左」である第４図柄表示部１９１ａ及び「右」である第６図柄表示部１９３ａを「左」「右」の順に停止する、つまり、「左」と「右」に同じ変動図柄が表示され、第２の停止列Ｌ２において所謂リーチ状態となる。
【０１１５】
そして、例えば抽選手段５７の抽選結果で大当たりが当選していた場合は、表示制御手段６５は、第５図柄表示部１９２ａに（即ち左右方向の「中」、上下方向の「下」に）、第４及び第６図柄表示部１９１ａ，１９３ａに表示された変動図柄と同じ図柄を表示し、つまり、第４図柄表示部１９１ａ、第５図柄表示部１９２ａ、及び第６図柄表示部１９３ａによって形成された第２の停止列Ｌ２に同じ変動図柄が表示され、大当たり遊技が開始される。この大当たり遊技の終了後は、駆動制御手段６６が例えば上記通常状態に復帰するように、再び第１、第２、及び第３モータＭ１１，Ｍ１２，Ｍ１３に駆動指令し、第４、第５、及び第６図柄表示板１９１，１９２，１９３が前枠５０の下方部分に格納される。また、例えば抽選手段５７の抽選結果が外れであれば、第５図柄表示部１９２ａに異なる図柄を表示して上記通常状態に復帰される。
【０１１６】
この場合は、第４、第５、及び第６図柄表示部１９１ａ，１９２ａ，１９３ａの回転移動が行われ、第４、第５、及び第６図柄表示部１９１ａ，１９２ａ、１９３ａが出現し、第２の停止列Ｌ２を形成するので、この移動パターンにおける大当たり確率を例えば通常状態よりも１段階高くすることで、遊技者に例えば通常状態よりも１段階高い大当たりの期待感を与えることができる。
【０１１７】
なお、本第２の実施の形態では、第４、第５、及び第６図柄表示板１９１，１９２，１９３の回転移動が同時に行われる移動パターンを説明したが、第４、第５、及び第６図柄表示板１９１，１９２，１９３は、それぞれ個々に回転移動し得るように構成されているので、第１の実施の形態で説明したような、何れか一つ（或いは２つ）を回転移動させる移動パターンを設定する等、移動パターンや演出はどのように設定することも可能である。
【０１１８】
また反対に、本第２の実施の形態においては、第４、第５、及び第６図柄表示板１９１，１９２，１９３に一対一対応で回転移動させるための第１、第２、及び第３モータＭ１１，Ｍ１２，Ｍ１３を備えたものを説明したが、上述した同時に回転移動が行われる移動パターンだけで足りる場合は、これらモータを１つで構成し、その一つのモータで第４、第５、及び第６図柄表示板１９１，１９２，１９３を同時に回転移動させるように構成してもよい。
【０１１９】
以上のように、本第２の実施の形態に係るパチンコ機１によると、移動駆動手段３４０が、通常時に予備の変動図柄が視認不能な状態に、かつ特別時に予備の変動図柄が視認可能な状態となるように、第２表示部１９０を移動駆動することで、通常時には第１表示部１８０において第１の停止列Ｌ１を構成し、特別時には第２表示部１９０の予備の変動図柄を含む第２の停止列Ｌ２を構成するので、特に特別時に第２表示部１９０の予備の変動図柄を物理的に出現させて新たな第２の停止列Ｌ２を構成することができ、新たな変動図柄の出現を遊技者に対して迫力のあるものにすることができて、パチンコ機としての趣向を増すことができる。
【０１２０】
また、第２表示部１９０は３個の予備の表示図柄を表示してなり、特別時に３個の予備の表示図柄によって第２の停止列Ｌ２を構成するので、特別時には第１の停止列Ｌ１とは異なる全く新たな第２の停止列Ｌ２を構成することができる。
【０１２１】
また、特別時にあって、移動駆動手段３４０が、第１表示部１８０における第１の停止列Ｌ１の停止状態が確定した後、第２表示部１９０を移動駆動することで、第２の停止列Ｌ２を構成するので、通常時にあっても、第１の停止列Ｌ１の停止状態が確定した後、第２の停止列Ｌ２が出現して構成されることの期待感を遊技者に与えることができる。
【０１２２】
また、第２表示部１９０が通常時に予備の変動図柄を表示する第４、第５、及び第６図柄表示部１９１ａ，１９２ａ，１９３ａが視認不能な角度に配置されており、移動駆動手段３４０が、特別時に第２表示部１９０を回動駆動するので、第２表示部１９０の予備の変動図柄を視認不能な状態から視認可能な状態に移行させることを可能にすることができる。
【０１２３】
なお、第１及び第２の実施の形態において、各図柄表示板を移動駆動させる演出の場合にあって、例えば外れの場合には速く、大当たりの場合にはゆっくりと各図柄表示板を移動駆動させる等、各図柄表示板を移動駆動させる速度に変化をつける演出をすることも可能である。
【０１２４】
また、各第１及び第２の実施の形態において、各図柄表示板の表示面には７セグメント型表示装置を用いるように説明したが、例えば液晶パネルを用いる等の構成にすることも可能である。
【０１２５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１２６】
【図１】本発明の実施の形態におけるパチンコ機の外部構造を示す正面図。
【図２】本パチンコ機から遊技盤を単体で分離した状態で示す正面図。
【図３】第１の実施の形態に係る本パチンコ機の制御系を示すブロック図。
【図４】本パチンコ機による作動を説明するためのフローチャート。
【図５】第１の実施の形態に係る図柄表示装置における通常状態を示す説明図。
【図６】第１の実施の形態に係る図柄表示装置における第１の移動パターンを示す説明図。
【図７】第１の実施の形態に係る図柄表示装置における第２の移動パターンを示す説明図。
【図８】第１の実施の形態に係る図柄表示装置における通常状態を示す断面図。
【図９】第１の実施の形態に係る図柄表示装置における図柄表示板の移動時を示す断面図。
【図１０】第２の実施の形態に係る本パチンコ機の制御系を示すブロック図。
【図１１】第２の実施の形態に係る図柄表示装置における通常状態を示す説明図。
【図１２】第２の実施の形態に係る図柄表示装置における移動パターンを示す説明図。
【図１３】第２の実施の形態に係る図柄表示装置における通常状態を示す断面図。
【図１４】第２の実施の形態に係る図柄表示装置における図柄表示板の移動時を示す断面図。
【符号の説明】
【０１２７】
１        遊技機（パチンコ機）
３        遊技盤
３ａ      遊技領域
２７      始動口
３５，１３５  図柄表示装置
５７      抽選手段
７３，１７３  移動駆動手段
８０，１８０  第１表示部
９０，１９０  第２表示部
Ｌ１      第１の停止列
Ｌ２      第２の停止列
【図１】
2007268009.tif 000003
【図２】
2007268009.tif 000004
【図３】
2007268009.tif 000005
【図４】
2007268009.tif 000006
【図５】
2007268009.tif 000007
【図６】
2007268009.tif 000008
【図７】
2007268009.tif 000009
【図８】
2007268009.tif 000010
【図９】
2007268009.tif 000011
【図１０】
2007268009.tif 000012
【図１１】
2007268009.tif 000013
【図１２】
2007268009.tif 000014
【図１３】
2007268009.tif 000015
【図１４】
2007268009.tif 000016